【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
複数の画素で構成される画像について各画素の色を多階調表現した画像データを取得する画像データ取得手段と、
当該画像の印刷媒体に対する割付を指定した割付情報を取得する割付情報取得手段と、
上記画像内の印刷領域を指定した印刷領域情報を取得する印刷領域情報取得手段と、
当該印刷領域情報を参照して印刷領域と印刷領域の外側に相当する領域とを含む画像の一部を上記画像データから抽出するとともにこの抽出した画像データを上記割付情報に従って印刷ページ上に配置した印刷画像データを生成する印刷画像データ生成手段と、
当該印刷画像データ内の一部の領域を印刷媒体上に印刷することによって当該印刷媒体に上記印刷領域を印刷する印刷実行手段とを備えることを特徴とする印刷制御装置。
【請求項２】
上記割付情報は同一画像を印刷媒体上に複数個印刷する際の割付を指定した情報であることを特徴とする上記請求項１に記載の印刷制御装置。
【請求項３】
上記印刷領域情報は少なくとも上記画像の縁を特定する座標情報と上記印刷領域の縁を特定する座標情報とを含むことを特徴とする上記請求項１または請求項２に記載の印刷制御装置。
【請求項４】
上記印刷媒体の縁部に位置する上記画像の少なくとも一辺の外部に画像の未印刷領域を設けない割付が上記割付情報で指定されているときに、上記印刷画像データ生成手段は当該画像の少なくとも一辺の外部に上記印刷領域の外側に相当する領域を設けた画像を抽出して印刷画像データを生成し、上記印刷実行手段は印刷領域の縁と印刷媒体の縁とを一致させながら印刷を実行することを特徴とする上記請求項１〜請求項３のいずれかに記載の印刷制御装置。
【請求項５】
上記割付情報で複数の画像を隣接配置するとともに互いの境界に未印刷領域を設けない割付が指定されているときに、上記印刷画像データ生成手段は当該隣接配置される画像の辺においては上記印刷領域の外側に相当する領域を設けずに印刷領域の縁を一致させながら両画像を配置することを特徴とする上記請求項１〜請求項４のいずれかに記載の印刷制御装置。
【請求項６】
上記割付情報取得手段は予め規定された複数種類のデフォルト割付情報のいずれかを取得し、上記印刷画像データ生成手段はデフォルト割付の種類および割付位置毎に予め決められた上記印刷領域の外側に相当する領域と上記印刷領域とを抽出して印刷ページ上に配置することにより印刷画像データを生成することを特徴とする上記請求項１〜請求項５のいずれかに記載の印刷制御装置。
【請求項７】
複数の画素で構成される画像について各画素の色を多階調表現した画像データを取得する画像データ取得手段と、
当該画像の印刷媒体に対する割付を指定した割付情報を取得する割付情報取得手段と、
上記画像内の印刷領域を指定するとともに少なくとも上記画像の縁を特定する座標情報と上記印刷領域の縁を特定する座標情報とを含む印刷領域情報を取得する印刷領域情報取得手段と、
当該印刷領域情報を参照して印刷領域と印刷領域の外側に相当する領域とを含む画像の一部を上記画像データから抽出するとともにこの抽出した画像データを上記割付情報に従って印刷ページ上に配置した印刷画像データを生成する印刷画像データ生成手段とを備えることを特徴とする印刷制御装置。
【請求項８】
画像とその内部の領域であって割り付け位置によらず印刷媒体上に印刷すべき印刷領域とを表示する表示手段と、
同表示手段に表示された印刷領域の位置およびまたは大きさの変更指示を受け付ける印刷領域指示受付手段と、
同印刷領域指示受付手段にて受け付けた印刷領域と画像との相対的な位置関係から画像の縁を特定する座標情報と印刷領域の縁を特定する座標情報とを生成する印刷領域情報生成手段とを備えることを特徴とする印刷領域情報作成装置。
【請求項９】
印刷対象の画像データをコンピュータ装置によって取得し、印刷媒体へ画像の割付を行いつつ画像データを配置した印刷画像データをページ毎に一時記憶装置に記憶し、当該一時記憶装置に記憶された印刷画像データが示すページ毎の画像を印刷装置によって印刷媒体より大きな範囲に印刷するに当たり、一時記憶装置へ印刷画像データを記憶する際に参照される配置特定データ構造であって、
画像の縁を特定する座標情報と印刷領域の縁を特定する座標情報とを備え、画像同士が隣接する部位に相当する辺を上記印刷領域の縁とし画像が印刷領域の外側にはみ出す部位に相当する辺を画像の縁とした画像の一部を上記画像データから抽出して上記一時記憶装置に配置して記憶するに当たり、印刷領域の縁が上記印刷領域の縁を特定する座標情報から決定され、画像の縁が上記画像の縁を特定する座標情報から決定されることを特徴とする配置特定データ構造。
【請求項１０】
複数の画素で構成される画像について各画素の色を多階調表現した画像データを取得する画像データ取得工程と、
当該画像の印刷媒体に対する割付を指定した割付情報を取得する割付情報取得工程と、
上記画像内の印刷領域を指定した印刷領域情報を取得する印刷領域情報取得工程と、
当該印刷領域と印刷領域の外側に相当する領域とを含む画像の一部を上記画像データから抽出するとともにこの抽出した画像データを上記割付情報に従って印刷ページ上に配置した印刷画像データを生成する印刷画像データ生成工程と、
当該印刷画像データ内の一部の領域を印刷媒体上に印刷することによって当該印刷媒体に上記印刷領域を印刷する印刷実行工程とを備えることを特徴とする印刷制御方法。
【請求項１１】
作成した印刷画像データに基づいて印刷装置を制御する印刷制御方法であって、
複数の画素で構成される画像について各画素の色を多階調表現した画像データを取得する画像データ取得工程と、
当該画像の印刷媒体に対する割付を指定した割付情報を取得する割付情報取得工程と、
上記画像内の印刷領域を指定するとともに少なくとも上記画像の縁を特定する座標情報と上記印刷領域の縁を特定する座標情報とを含む印刷領域情報を取得する印刷領域情報取得工程と、
当該印刷領域と印刷領域の外側に相当する領域とを含む画像の一部を上記画像データから抽出するとともにこの抽出した画像データを上記割付情報に従って印刷ページ上に配置した印刷画像データを生成する印刷画像データ生成工程とを備えることを特徴とする印刷制御方法。
【請求項１２】
画像とその内部の領域であって割り付け位置によらず印刷媒体上に印刷すべき印刷領域とを表示装置にて表示しながら操作入力装置による入力によって印刷領域情報を作成する印刷領域情報作成方法であって、
上記表示装置に表示された印刷領域の位置およびまたは大きさの変更指示を上記操作入力装置を介して受け付ける印刷領域指示受付工程と、
同印刷領域指示受付工程にて受け付けた印刷領域と画像との相対的な位置関係から画像の縁を特定する座標情報と印刷領域の縁を特定する座標情報とを生成する印刷領域情報生成工程とを備えることを特徴とする印刷領域情報作成方法。
【請求項１３】
複数の画素で構成される画像について各画素の色を多階調表現した画像データを取得する画像データ取得機能と、
当該画像の印刷媒体に対する割付を指定した割付情報を取得する割付情報取得機能と、
上記画像内の印刷領域を指定した印刷領域情報を取得する印刷領域情報取得機能と、
当該印刷領域と印刷領域の外側に相当する領域とを含む画像の一部を上記画像データから抽出するとともにこの抽出した画像データを上記割付情報に従って印刷ページ上に配置した印刷画像データを生成する印刷画像データ生成機能と、
当該印刷画像データ内の一部の領域を印刷媒体上に印刷することによって当該印刷媒体に上記印刷領域を印刷する印刷実行機能とをコンピュータに実現させることを特徴とする印刷制御プログラム。
【請求項１４】
作成した印刷画像データに基づいて印刷装置を制御する印刷制御プログラムであって、
複数の画素で構成される画像について各画素の色を多階調表現した画像データを取得する画像データ取得機能と、
当該画像の印刷媒体に対する割付を指定した割付情報を取得する割付情報取得機能と、
上記画像内の印刷領域を指定するとともに少なくとも上記画像の縁を特定する座標情報と上記印刷領域の縁を特定する座標情報とを含む印刷領域情報を取得する印刷領域情報取得機能と、
当該印刷領域と印刷領域の外側に相当する領域とを含む画像の一部を上記画像データから抽出するとともにこの抽出した画像データを上記割付情報に従って印刷ページ上に配置した印刷画像データを生成する印刷画像データ生成機能とをコンピュータに実現させることを特徴とする印刷制御プログラム。
【請求項１５】
画像とその内部の領域であって割り付け位置によらず印刷媒体上に印刷すべき印刷領域とを表示装置にて表示しながら操作入力装置による入力によって印刷領域情報を作成する印刷領域情報作成プログラムであって、
上記表示装置に表示された印刷領域の位置およびまたは大きさの変更指示を上記操作入力装置を介して受け付ける印刷領域指示受付機能と、
同印刷領域指示受付機能にて受け付けた印刷領域と画像との相対的な位置関係から画像の縁を特定する座標情報と印刷領域の縁を特定する座標情報とを生成する印刷領域情報生成機能とをコンピュータに実現させることを特徴とする印刷領域情報作成プログラム。